(57)【特許請求の範囲】
【請求項１】
鍋を載置するためのプレートと、
前記プレートの下方に略同心円状に配設された径の異なる複数の加熱コイルと、
前記複数の加熱コイルに交流電流を供給するインバータ装置と、を備え、
前記複数の加熱コイルには同時に通電するとともに、それぞれの加熱コイルに異なる電流を供給し、前記複数の加熱コイルのうち小径の加熱コイルには、大径の加熱コイルの面積に対する小径の加熱コイルの面積の比率よりも大きな比率の電力を供給する誘導加熱装置であって、
前記小径の加熱コイルの素線数を前記大径の加熱コイルの素線数よりも少なくすると共に、前記小径の加熱コイルのインダクタンスを前記大径の加熱コイルのインダクタンスと略同等にする誘導加熱装置。
【請求項２】
それぞれの加熱コイルの厚みを略同一にした請求項１に記載の誘導加熱装置。
【請求項３】
径の小さい加熱コイルの巻き数を径の大きい加熱コイルの巻き数よりも多くした請求項１または２に記載の誘導加熱装置。
【請求項４】
それぞれの加熱コイルに共振用のコンデンサを電気的に接続し、面積が小さい加熱コイルとからなる共振周波数は、面積が大きい加熱コイルとからなる共振周波数よりも低くなるように共振用のコンデンサの値を設定した請求項１〜３のいずれか１項に記載の誘導加熱装置。
【請求項５】
径の異なる複数の加熱コイルに１つのインバータ装置で交流電流を供給する請求項１〜４のいずれか１項に記載の誘導加熱装置。
【発明の詳細な説明】
【技術分野】
【０００１】
本発明は、加熱コイルを用いて被加熱物を誘導加熱する装置に関するものである。
【背景技術】
【０００２】
従来、この種の誘導加熱調理器は、１個の送風ファンで本体内の駆動回路部とその上の加熱コイルの効率的な冷却をおこない、騒音の低いものを実現している（例えば、特許文献１参照）。また、誘導加熱コイルを、環状の外部加熱コイルおよび外部加熱コイルの内周部に外部加熱コイルとの間に間隔を置いて配置された内部加熱コイルで構成して被加熱物の局所的な温度上昇を抑制し、被加熱物を均一に加熱するものがある（例えば、特許文献２参照）。
【０００３】
図８は、特許文献１に記載された従来の誘導加熱調理器を厨房装置のキャビネットに組み入れた状態を示すものである。図８に示すように、耐熱性ガラスなどの非金属で構成された平板状のプレート６１と、プレート６１の下部に設けた収容部６７とを備える。
【０００４】
収容部６７内には、プレート６１上に載置される鍋などを誘導加熱するための加熱コイル等が、プレート６１の裏面から約５ｍｍ程度の空間を介して配置される。
【０００５】
例えば、図８に示すように、誘導加熱調理器は、誘導加熱を行うための左部加熱コイル６３及び右部加熱コイル６２が配置され、これらの中央後方には誘導加熱を行うための中部加熱コイル７０が配置される。収容部６７内で、左部加熱コイル６３の下方には、焼き魚などの調理を行うロースタ６８が配置され、ロースタ６８の庫内には電気抵抗式のヒータ、焼き網、受け皿が配置される。
【０００６】
また、収容部６７内で、ロースタ６８の右側にはそれぞれの加熱コイル６３、６２に高周波電流を供給するインバータ装置６６が配置され、インバータ装置６６は各加熱コイル６３、６２に対応するインバータ回路基板が上下方向に各々配置されて構成している。
【０００７】
図９は、従来の誘導加熱調理器の内部に配設されている加熱コイルの形状及び加熱コイルに交流電流を供給するインバータ装置６６の回路図を示す。図９に示すように、加熱コイルは、小径の加熱コイル９０と大径の加熱コイル９１に分割され、２つの加熱コイルの間は間隔を置いて配置される。
【０００８】
分割せずに巻いた（即ち、加熱コイル線を内径から外径まで連続に巻いた）加熱コイルでは、加熱コイルの巻線の中央部付近（内径をＲ、外径をＳとすると、中央部付近≒（Ｒ＋Ｓ）／２）上方で、加熱コイルに流れる電流により発生する磁界（磁束密度）が最大になるのに加え、内径Ｒと外径Ｓとの差が大きくなることにより、内径Ｒ側や外径Ｓ側の巻線の上方と比べて磁束密度差が大きいため、加熱コイル上方に載置された鍋９３を加熱すると、加熱分布に大きな偏りが発生してしまうが、加熱コイルを分割して巻いた構成とすることにより、加熱コイルの中央部付近の磁界を分散させて、被加熱物である鍋９３の局所的な温度上昇を抑制し、均一に加熱することができるようになる。
【０００９】
インバータ装置６６は、商用電源８１をダイオードブリッジ８２で全波整流し、平滑フィルタ構成部品８３、８４、８５を介して、電気的に直列に接続された、逆並列ダイオードを有する２つのスイッチング素子８７、８８に電圧源を供給する形態とすることによりインバータ回路を構成している。
【００１０】
小径の加熱コイル９０と大径の加熱コイル９１（一般的に小径の加熱コイル９０と大径の加熱コイル９１は端子による接続ではなく、１本の加熱コイル線で隙間を設けて巻かれることが多い）、共振用コンデンサ９２を電気的に直列に接続したものを、２つのスイッチング素子のどちらか一方（図９では下方）と電気的に並列に接続している。
【００１１】
２つのスイッチング素子８７、８８を排他的に動作させると共に、スイッチング素子８７、８８の動作周波数やＤｕｔｙを変化させることにより、鍋９３に供給される電力を調節することができる。
【００１２】
また、スイッチング素子８７、８８が導通状態から非導通状態に遷移する際に、スイッチング素子８７、８８に発生する電圧の傾きを緩やかにすることにより、スイッチング素子８７、８８に発生するスイッチング損失を下げる目的で、スナバコンデンサ８９が接続されている。図９に示すインバータ装置６６の回路構成は、誘導加熱調理器に採用されている典型的な回路の一つである。
【先行技術文献】
【特許文献】
【００１３】
【特許文献１】特開２００１−１９６１５３号公報
【特許文献２】特開２００５−３５３４５８号公報
【発明の概要】
【発明が解決しようとする課題】
【００１４】
しかしながら、前記従来の構成では、小径の加熱コイル９０と大径の加熱コイル９１が電気的に直列に接続されているため、小径加熱コイル９０と大径加熱コイル９１には同一電流が流れることになる。
【００１５】
したがって、同じ素線数で小径の加熱コイル９０と大径の加熱コイル９１を形成した場合、電流が流れることができる面積が同一であるため加熱コイルで発生する単位面積あたりの導通損失は同一であり、そのため、巻数が多く放熱され難い大径加熱コイル９１の温度上昇の方が小径加熱コイル９０の温度上昇よりも高くなる。
【００１６】
その結果、加熱コイルの最高到達温度によって加熱コイルの保障温度内かどうかが左右されることを考慮すると、加熱コイル温度のバランスを最適にできていなかったため、加熱コイル冷却構成の最適化がなされず、例えば風量を増大せざるを得ず騒音を高めていたという課題がある。
【００１７】
また、例えば機器が出力し得る最高電力を一定時間出力し続けたとき、加熱コイルの温度を保障温度以上に上昇させないようにするため、出力電力を下げる必要があったため、その結果、調理性能を維持できない、または湯沸しを短時間で行うことができないなどの課題がある。
【００１８】
更に、加熱コイルに一部を冷却し難い収容部に挿入して使用する場合、少なくとも大径の加熱コイル９１は収容部に挿入されることになるため、大径の加熱コイル９１の温度上昇の方が小径の加熱コイル９０の温度上昇よりも低い状態では、小径の加熱コイル９０と大径の加熱コイル９１との温度差はさらに大きくなり、莫大な風量により冷却を行わないと冷却できないという課題を有していた。
【００１９】
本発明は、前記従来の課題を解決するもので、分割して巻かれた加熱コイルの温度上昇を略同等とし、加熱コイルの許容温度を最大限に活かすことのできる誘導加熱装置を提供することを目的とする。
【課題を解決するための手段】
【００２０】
前記従来の課題を解決するために、本発明の誘導加熱装置は、鍋を載置するためのプレートと、前記プレートの下方に略同心円状に配設された径の異なる複数の加熱コイルと、前記複数の加熱コイルに交流電流を供給するインバータ装置と、を備え、前記複数の加熱コイルには同時に通電するとともに、それぞれの加熱コイルに異なる電流を供給し、前記複数の加熱コイルのうち小径の加熱コイルには、大径の加熱コイルの面積に対する小径の加熱コイルの面積の比率よりも大きな比率の電力を供給する誘導加熱装置であって、
前記小径の加熱コイルの素線数を前記大径の加熱コイルの素線数よりも少なくすると共に、前記小径の加熱コイルのインダクタンスを前記大径の加熱コイルのインダクタンスと略同等にしたものである。
【００２１】
この構成によって、加熱コイルに異なる電流を流しているので、加熱コイルの径、巻数に関係なく、複数の加熱コイルの温度を略均一にすることができる。
【００２２】
例えば、同じ素線数で径の異なる加熱コイルを形成した場合、小径加熱コイルの巻数が大径の加熱コイルの巻数よりも少なければ、小径加熱コイルに流す電流を大きくすることにより、小径加熱コイルと大径加熱コイルの温度を略均一にすることができる。
【発明の効果】
【００２３】
本発明の誘導加熱調理装置は、分割した加熱コイルに異なる電流を流すことができるようにしたので、加熱コイルの径や巻数に関係なく、加熱コイルの温度を均一化させることができ、加熱コイルの許容温度範囲内で有効的に加熱コイルに電流を流すことができ、例えば定格出力を維持できる時間を長くすることが可能となり、調理作業性を向上させることができる。
【図面の簡単な説明】
【００２４】
【図１】本発明の実施の形態１における誘導加熱装置の回路構成図
【図２】本発明の実施の形態１における誘導加熱装置の加熱コイルに流す電流波形の関係を示す図
【図３】（ａ）本発明の実施の形態１における誘導加熱装置の加熱コイルの断面図（ｂ）本発明の実施の形態１における誘導加熱装置の加熱コイルの平面図
【図４】本発明の実施の形態２における誘導加熱装置の防磁用磁性体及び支持部材の単品平面図
【図５】（ａ）本発明の実施の形態３における誘導加熱装置の加熱コイルの断面図（ｂ）本発明の実施の形態３における誘導加熱装置の加熱コイルの平面図
【図６】本発明の実施の形態４における誘導加熱装置のインバータ装置の回路図
【図７】本発明の実施の形態４における誘導加熱装置の２つの加熱コイルの共振周波数の関係と、インバータの動作周波数との関係を示す図
【図８】（ａ）従来の誘導加熱調理器の断面図（ｂ）従来の誘導加熱調理器の平面図
【図９】従来の誘導加熱調理器のインバータ回路図
【発明を実施するための形態】
【００２５】
第１の発明は、鍋を載置するためのプレートと、前記プレートの下方に略同心円状に配設された径の異なる複数の加熱コイルと、前記複数の加熱コイルに交流電流を供給するインバータ装置と、を備え、前記複数の加熱コイルには同時に通電するとともに、それぞれの加熱コイルに異なる電流を供給し、前記複数の加熱コイルのうち小径の加熱コイルには、大径の加熱コイルの面積に対する小径の加熱コイルの面積の比率よりも大きな比率の電力を供給する誘導加熱装置であって、
前記小径の加熱コイルの素線数を前記大径の加熱コイルの素線数よりも少なくすると共に
、前記小径の加熱コイルのインダクタンスを前記大径の加熱コイルのインダクタンスと略同等にすることにより、加熱コイルに異なる電流を流しているので、加熱コイルの径、巻数に関係なく、複数の加熱コイルの温度を略均一にすることができ、加熱コイルの最大温度を下げることができる。
また、径の小さい加熱コイルの素線数を径の大きい加熱コイルの素線数よりも少なくしたことにより、径の小さい加熱コイルを多く巻くことができ、同一素線数で巻いたときと同じ外形としても、加熱コイルのインダクタンスを高くすることができ、それにより、小径の加熱コイルのインダクタンスを大径の加熱コイルのインダクタンスと略同等にすることにより、同一容量の共振コンデンサを用いても同一周波数で制御することができるようになり、鍋なり音の発生を防ぐことができる。
【００２６】
また、誘導加熱調理器に適用することにより、加熱コイルの最大温度を下げることができるため、加熱コイルを冷却するための風量を少なくすることができる。
【００２７】
また、複数の加熱コイルの温度が略同一になるようになり、ムラなく均一に加熱することができる。
【００２８】
第２の発明は、特に、第１の発明のそれぞれの加熱コイルの厚みを略同一にしたことにより、均一に加熱することができる一定厚みの加熱コイルを、例えば狭い隙間にも収容することができるため、使用条件を拡大することができる。
【００２９】
第３の発明は、特に、第１または２の発明において、径の小さい加熱コイルの巻き数を径の大きい加熱コイルの巻き数よりも多くすることにより、同一周波数且つ同一Ｄｕｔｙで駆動したときの加熱コイルから鍋の加熱に寄与する磁界の発生量を２つの加熱コイルの面積比と略同一にすることにより、インバータを共通化させることができる。
【００３０】
第４の発明は、特に、第１〜３のいずれか１つの発明において、それぞれの加熱コイルに共振用のコンデンサを電気的に接続し、面積が小さい加熱コイルとからなる共振周波数は、面積が大きい加熱コイルとからなる共振周波数よりも低くなるように共振用のコンデンサの値を設定することにより、大径の加熱コイルからなる共振周波数よりも高い周波数で動作させているインバータの状態では、小径の加熱コイルと共振コンデンサから決まる共振周波数を、大径の加熱コイルと共振用のコンデンサから決まる共振周波数よりも低くすることにより、出力電力または電流の割合を大きく変化させて調節することができる。
【００３１】
第５の発明は、特に、第１〜４のいずれか１つの発明において、径の異なる複数の加熱コイルに１つのインバータ装置で交流電流を供給するとしたことにより、安価な構成で均一な加熱や、冷却構成を簡素化できる加熱構成を実現することができる。
【００３２】
以下、本発明の実施の形態について、図面を参照しながら説明する。なお、この実施の形態によって本発明が限定されるものではない。
【００３３】
（実施の形態１）
（構成）
図１は、本発明の第１の実施の形態における誘導加熱装置の回路構成図を示す。
【００３４】
図１において、インバータ装置のうちの一つは、ダイオードブリッジ４２、平滑フィルタ構成部品４３、４４、４５、２つのスイッチング素子４６、４７からなるものと、商用電源４１だけを共通として、ダイオードブリッジ、平滑フィルタ、スイッチング素子からなるインバータ回路を２つ設けている。
【００３５】
そして、小径の加熱コイル４９はインバータ装置５８に、大径の加熱コイル５０はインバータ装置５９にそれぞれ電気的に接続されている。
【００３６】
また、計４つのスイッチング素子の導通／非導通状態を制御する制御部５３を有し、スイッチング素子４６と４７、スイッチング素子５４と５５を排他的に動作させるとともに、２つのインバータのスイッチング素子の位相差を一定に維持するように制御されている。
【００３７】
次に、インバータ装置の動作を図２を参照して説明する。図２は本発明の第１の実施の形態における誘導加熱装置の加熱コイルに流す電流波形の関係を示す図である。回路構成は、小径の加熱コイル４９と大径の加熱コイル５０のそれぞれにインバータ装置を接続した構成としているため、スイッチング素子の動作周波数やＤｕｔｙを変化させることにより、小径の加熱コイル４９と大径の加熱コイル５０に流す電流を一定の範囲内で任意の異なる値に設定することができる。
【００３８】
具体的には、Ｄｕｔｙを変化させて電力を調節する場合、スイッチング素子に印加される電圧値が一定の条件では、Ｄｕｔｙ＝０．５、つまり、直列に接続された２つのスイッチング素子の導通状態と非導通状態の比率が１：１のときに最も出力が大きくなる。
【００３９】
逆に、電源のプラス側に接続されたスイッチング素子のＤｕｔｙを０．１や０．９にするなど、Ｄｕｔｙを０．５から遠ざければ、出力を小さくすることができる。
【００４０】
図２は小径の加熱コイル４９および大径の加熱コイル５０に流れる電流の波形を示している。ここで、小径の加熱コイル４９はＤｕｔｙ０．４付近で動作させ、大径の加熱コイル５０はＤｕｔｙ０．５で動作させたものである。
【００４１】
大径の加熱コイルに流れている電流と小径の加熱コイルに流れている電流が異なるのは、加熱コイルの巻数、素線数、加熱コイルの下部に配置される磁界の集束用の磁性体の形状、さらには載置される鍋５２の形状など、さまざまな要因により加熱コイルからみた鍋５２込みの抵抗成分が異なることで、同じ電圧源であると加熱コイルに流れる電流が異なることによるものである。
【００４２】
なお、小径の加熱コイルに流れる電流の周波数と大径の加熱コイルに流れる電流の周波数は同一にする必要がある。これは、周波数が異なることにより周波数差に起因するうなり干渉音が発生しないようにするためである。
【００４３】
また、図１に示した回路構成の誘導加熱装置では、商用電源を全波整流しているが、平滑回路構成部品で完全に平滑しているわけではない。言い換えれば、平滑用コイルのインダクタンスや平滑コンデンサの容量は商用電源（５０Ｈｚまたは６０Ｈｚ）を直流に維持できるほどの大きな値ではないため、直列に接続された２つのスイッチング素子の両端には、商用電源の２倍の周波数（１００Ｈｚまたは１２０Ｈｚ）の振幅を有する電圧源が供給されることになる。
【００４４】
次に、加熱コイルに用いられている線について説明する。加熱コイルには２０ｋＨｚ〜１００ｋＨｚ程度の高周波電流を流すため、表皮効果によって導通効率を低下させないよう、細い線の１本ずつに絶縁加工をした素線と呼ばれるものを作成し、その素線を複数本束ねることにより、素線数に流れる電流を素線数に応じて減少させることができるとともに、素線が細いことによって表皮効果が発生しても導通効率を下げることなく、加熱コイルの断面積に有効的に電流を流すことができる。
【００４５】
本構成のインバータで前述した内外２つの加熱コイルに電力を供給する場合、コイルに異なる電流を流すことができるため、内外それぞれの加熱コイルから発生させる磁界量を変化させることができる。
【００４６】
これにより、従来、外側の加熱コイルに対して内側の加熱コイルは加熱コイル径が小さいため加熱に寄与されにくく、外側の加熱コイルが発生する磁界が大きく加熱分布がドーナツ状になっていたが、内外別々のコイル電流を流すことによって、内側の加熱コイル電流を増大させ、加熱量を増やすことにより、均一な加熱分布をえることができるようになる。
【００４７】
また、加熱コイルの温度は、コイルに電流を流すことによって、コイル線の持つ抵抗とから発生するジュール熱による直接的発熱と、鍋を加熱コイル上部に載置して加熱することにより、プレートを介した所に高温の鍋がることから、鍋の熱が伝熱や輻射熱によって加熱コイルの温度を上昇させる間接的発熱の２種類がある。
【００４８】
その他、例えば誘導加熱調理器に適用した際に、インバータを動作させることにより部品から発生する発熱やロースタを使用している際に発生する発熱などにより、誘導加熱調理器内の温度が上昇し、使用環境温度が高くなることによる発熱なども考えられる。
【００４９】
これらの複数の要因で加熱コイルの温度は上昇する。しかし、加熱コイルの許容温度は上限があり（例えば２００℃）、どのような鍋を載置しても、その鍋に入力できる定格電力を与えても、加熱コイルの温度が一定以下になるように設計されている。
【００５０】
しかし、加熱コイルは一般的に、加熱コイルから見た鍋の抵抗成分（加熱コイルに電流を流すことによってＲＩ＾２の電力が投入できるが、そのＲ成分）を大きくするために、内側の加熱コイルよりも外側の加熱コイルのほうが多く巻かれている。
【００５１】
そのため、内側の加熱コイルと外側の加熱コイルに一定の電流を流すと、外側の加熱コイルの方が発熱エリアが大きくなり、その結果、加熱コイルの放熱がされ難くなるため、加熱コイルの温度が上昇する。
【００５２】
そこで、内側の加熱コイルに外側よりも多くの電流を流すことにより、２つの加熱コイルの温度を平衡状態に近づけることができる。
【００５３】
複数の加熱コイルで１つの鍋を加熱する場合、鍋に与える電力は、それぞれの加熱コイルが鍋に与える電力の和であるため、定格出力を一定とした場合、内側の加熱コイルに流す電流を多くして出力される電力を大きくした量に比例して、外側の加熱コイルに流す電力を少なくして、内側と外側の加熱コイルの温度差を平衡状態にすることができる。
【００５４】
これにより、加熱コイルの最大温度を下げることができるため、加熱コイルを冷却するための風量を少なくすることができる。
【００５５】
また、内側の加熱コイルにたくさんの電流を流すことにより、巻数の少なかった内側の加熱コイルでも発熱量を大きくすることができる。その結果、加熱分布が悪くドーナツ状に加熱されていた従来の誘導加熱調理器と比べ、加熱分布を均一状態に近づけることができるため、調理性能のよい誘導加熱調理器を提供することができる。
図３（ａ）は本発明の第１の実施の形態における誘導加熱装置の加熱コイルの断面図、図３（ｂ）は本発明の第１の実施の形態における誘導加熱装置の加熱コイルの平面図を示している。
【００５６】
前述のとおり、プレート１の寸法や金粒の数などから鍋５２を載置できる径が決まっている、または、標準的な鍋のサイズ（例えば１８ｃｍ程度）に合わせて加熱コイルの径を決める際、同じ巻数で加熱コイルからみた抵抗性分を大きくするためには、内径コイルと外径コイルの巻数が同一の場合、外径コイルの巻数を増大させることが必要であるため、図３の加熱コイルも内側の方が巻数は少なくしている。
【００５７】
このような構成であっても、小径の加熱コイル４９と大径の加熱コイル５０にインバータがそれぞれ接続されることにより、小径の加熱コイルに流す電流を増大させ、大径の加熱コイルに流す電流を大きくすることができ、加熱コイルの温度を均一化して最大温度を下げることができる。また、鍋を均一に加熱できて調理がっての良い誘導加熱調理器を提供することができる。
【００５８】
（実施の形態２）
（構成）
次に、本発明の第２の実施の形態について図３を参照して説明する。
【００５９】
第２の実施の形態は、加熱コイルの面積によって、その加熱コイルから供給する電力を決定したものである。なお、前記各実施の形態と同一構成部位については同一符号を付し、その詳細な説明は省略する。
【００６０】
図３において、加熱コイルの構成は、直径０．３ｍｍ程度の素線を撚りながら束ねたコイル線２２を使用し、それを内径側から外径側へ一層で巻いた状態にしている。
【００６１】
また、加熱コイル線だけでは加熱コイルの下部に磁界が多く漏洩するため、これを抑制するために、図４に示すように、磁性体２７が加熱コイルの中心から放射状に配設されている。
【００６２】
図４は本発明の第２の実施の形態における誘導加熱装置の防磁用磁性体及び支持部材の単品平面図である。
【００６３】
図４において、磁性体２７としては、一般的に高周波磁界を通しても損失が小さく発熱の少ないフェライトを用いた場合が多い。加熱コイル４９、５０と磁性体２７を載置する台として支持材２４を有することにより加熱コイルのユニットを形成している。
【００６４】
第２の実施の形態では、図３に示すように、小径の加熱コイル４９と大径の加熱コイル５０の面積によって、小径の加熱コイルから鍋に供給する電力と大径の加熱コイルから鍋に供給する電力の大小を決定している。
【００６５】
具体的には、小径の加熱コイル４９の面積Ｓ１と大径の加熱コイル５０の面積Ｓ２を比較する。小径の加熱コイルと大径の加熱コイルが同一素線数で巻かれたものであるとすると、同じ巻数とすると、小径の加熱コイルの面積Ｓ１は大径の加熱コイルの面積Ｓ２よりも小さくなる。
【００６６】
もちろん、図３のように、小径の加熱コイルの巻数が大径の加熱コイルよりも少なければ、当然ながらＳ１のほうがＳ２よりも小さくなる。これら大小２つの加熱コイルに電流を流して磁界を発生させ、プレート１上に載置された鍋を加熱するとき、大小２つの加熱コイルに同一の電流を流すと、面積の大きい大径の加熱コイルから発生する磁界が鍋の加熱に寄与する総量の方が、小径の加熱コイルよりも大きくなる。
【００６７】
しかし、加熱コイルに流す電流が小径の加熱コイルと大径の加熱コイルでことなるので
あれば、その関係を覆すことも可能となる。
【００６８】
例えば、小径の加熱コイルと大径の加熱コイルで同じ素線数の加熱コイルで作成したとき、小径の加熱コイルの面積Ｓ１は大径の加熱コイルの面積Ｓ２の１／３であったとする。
【００６９】
このとき、小径の加熱コイルと大径の加熱コイルに同値の電流を流したときは、面積比と同等か、小径の加熱コイルの方が、大径の加熱コイルの１／３よりも小さい量で、加熱量は寄与する。
【００７０】
ここで、小径の加熱コイルのほうが面積比よりも加熱に寄与する割合が小さくなるのは、小径の加熱コイルは内径が、鍋のサイズや筐体のサイズの面から３ｃｍ〜６ｃｍで設計されているため、径が小さい側では、加熱コイルの下部に配設される磁性体で磁力線を大きな角度で変更させるのが困難であることや、加熱コイルの中心に対向する電流による磁界の打ち消し作用が働くことなどから磁界が弱まるためである。
【００７１】
このような現象の発生下でおいても、インバータを大小２つの加熱コイルで別々に有し、小径の加熱コイルに大径の加熱コイルよりもたくさんの電流を流すことができれば、打消し作用があっても小径の加熱コイルが加熱に寄与する磁界の量は、大径の加熱コイルの面積比である１／３以上の加熱出力バランスを実現することができる。
【００７２】
それにより、大径の加熱コイルの上面に対して加熱の弱かった内径の加熱コイル上面の加熱量を増大させ、均一に加熱することができる。
【００７３】
また、小径の加熱コイルの上面に位置する鍋の温度が大径の加熱コイルの上面に位置する鍋の温度よりも低いことにより、鍋からの輻射熱の影響が小さく、加熱コイルの温度が低かったものが、電流を多く流すことにより、内側の加熱コイルの温度を上昇させることができる。
【００７４】
すると、所望の加熱出力において、内側の加熱コイルの出力を大きくした分、大径の加熱コイルの出力を小さくすることが可能となる。
【００７５】
そうすると、小径の加熱コイルに対して温度が高かった大径の加熱コイルの温度を下げることができるとともに、小径の加熱コイルの温度との差を縮めることができるため、加熱コイルを構成する小径および大径の加熱コイルの最高温度を下げることができる。
【００７６】
その結果、加熱コイルの冷却風の風量を少なくできることや、冷却構成を簡素化することができること、冷却が困難である領域にも加熱コイルを配設することができる。
【００７７】
また、図３に示した加熱コイルは、小径の加熱コイルと大径の加熱コイルの厚みを略同等になっていることがわかる。小径の加熱コイルと大径の加熱コイルに流す電流を異ならせたことにより、小径の加熱コイルと大径の加熱コイルの加熱に寄与する磁界の発生量を変化させることができ、そうすると、例えば小径の加熱コイルを積層して巻かなくても、小径の加熱コイルが加熱に寄与する磁界の量を増大させて、ムラなく均一に加熱することができるようになる。
【００７８】
その結果、（請求４）均一に加熱することができる一定厚みの加熱コイルを、例えば狭い隙間にも収容することができるため、使用条件を拡大することができる。
【００７９】
（実施の形態３）
（構成）
次に、本発明の第３の実施の形態について図５を参照して説明する。図５（ａ）は本発明の第３の実施の形態における誘導加熱装置の加熱コイルの断面図（ｂ）は本発明の第３の実施の形態における誘導加熱装置の加熱コイルの平面図である。
第３の実施の形態は、小径の加熱コイルの素線数と大径の加熱コイルの素線数を異ならせたものである。なお、上記各実施の形態と同一構成部位については同一符号を付し、その詳細な説明は省略する。
【００８０】
第３の実施の形態では、小径の加熱コイルの素線数を、大径の加熱コイルの素線数よりも少なくしている。加熱コイルのインダクタンスは、巻数の２乗に比例し、径の２乗にも比例する。
【００８１】
本実施の形態のように、一つの鍋を加熱するときに、小径の加熱コイルと大径の加熱コイルの２つの加熱コイルを使用し、それぞれの加熱コイルにインバータを接続し、２つの加熱コイルに流す電流を異なる値にしたとき、それぞれの加熱コイルが有するインピーダンスに対応したインバータの動作が必要になる。
【００８２】
そうすると、大径の加熱コイルよりも小径の加熱コイルの方が加熱コイルの径が小さいのはもちろんのこと、加熱コイルからみた鍋の抵抗成分を高くするために、大径の加熱コイルの巻数や面積Ｓ２を大きくするような加熱コイルの設計にすると、大径の加熱コイルのインダクタンスに対して、一段と小径の加熱コイルのインダクタンスが小さくなるため、略同一の共振コンデンサを接続した場合、共振周波数が大きく異なるものになってしまう。
【００８３】
小径の加熱コイルと大径の加熱コイルは近傍に配設されていれば、小径の加熱コイルと大径の加熱コイルが発生する磁界の相が周期毎に変化しないよう、また、２つのインバータの動作周波数の差に起因する鍋なり音が発生したりしないように、インバータの動作周波数は同一であることが望ましい。
【００８４】
しかし、共振周波数が大きく異なれば、Ｄｕｔｙ制御だけで電力を制御できなくなり、その結果、同一周波数で動作させることができなくなっていたが、（請求５）小径の加熱コイルの素線数を少なくして、多く巻くことにより、同一素線数で巻いたときと同じ外径としても、加熱コイルのインダクタンスを高くすることができる。
【００８５】
それにより、小径の加熱コイルのインダクタンスを大径の加熱コイルのインダクタンスと略同等にすることにより、同一容量の共振コンデンサを用いても同一周波数で制御することができるようになり、鍋なり音の発生を防ぐことができる。
【００８６】
また、仮に小径の加熱コイルと大径の加熱コイルに接続する共振コンデンサの値を異なるものにして、共振周波数を略同一値に合わせたとしても、小径の加熱コイルのインダクタンスが小さいため、鍋と加熱コイルの磁気結合係数が径に限らず同一と仮定すると、インダクタンスに略比例して決まる抵抗成分も小さい。
【００８７】
そのため、共振回路のＱ値が大きくなりすぎて制御が困難になる。例えば、Ｑ値の小さい外径の加熱コイルでは、Ｄｕｔｙを０．０１変化させることにより電力を４０Ｗ変化させることができるのに対して、Ｑ値の大きい小径の加熱コイルでは、Ｄｕｔｙを０．０１変化させるだけで数百Ｗもの電力が変化してしまい、制御性の悪い構成になってしまうが、それも小径の加熱コイルの素線数を少なくして、多く巻くことにより解決することができる。
【００８８】
加えて、抵抗成分が小さいことにより、Ｄｕｔｙが低い領域でしか動作させることができない。具体的には、大径の加熱コイルのインバータはＤｕｔｙを０から０．５で制御するのに対して、小径の加熱コイルのインバータはＤｕｔｙを０から０．１の領域で制御しなければならず、その結果、共振電流が上手く流れずに効率を低下させてしまうが、その課題も本構成をとることにより解決することができる。
【００８９】
（実施の形態４）
（構成）
次に、本発明の第４の実施の形態について図６を参照して説明する。図６は本発明の第４の実施の形態における誘導加熱装置のインバータ装置の回路図である。
第４の実施の形態は、２つの加熱コイルに接続するインバータを共通化したものである。なお、上記各実施の形態と同一構成部位については同一符号を付し、その詳細な説明は省略する。
【００９０】
第４の実施の形態において、小径の加熱コイル４９と大径の加熱コイル５０それぞれに、異なる共振用コンデンサ５１、５６が電気的に接続され、加熱コイル４９、５０と共振用コンデンサからなるそれぞれの共振回路は、同一のインバータ回路に接続され、スイッチング素子４９、５０のどちらか一方と電気的に並列に接続される。
【００９１】
小径の加熱コイル４９と大径の加熱コイル５０を並列に接続することにより、異なる電流を流すことができるため、２つの加熱コイルのインピーダンスに応じて共振コンデンサやスイッチング素子４６、４７の動作を変更することにより、２つの加熱コイル上の鍋の加熱を均一にして加熱ムラができにくく調理勝手のよい誘導加熱調理器を提供することができる。
【００９２】
また、加熱コイルに流れる電流を制御することにより、加熱コイルの発熱を同等にして、加熱コイルの最高温度が抑えられることによる加熱コイルの使用できる許容温度までの幅が広がることで、冷却構成を簡素化したりすることができる。
【００９３】
また、インバータを共通化させることにより、小径の加熱コイルと大径の加熱コイルをそれぞれ独立に制御することは不可能となるが、小径の加熱コイルの巻数を最適化するとともに、共振コンデンサの値を異ならせて共振周波数を調節することによって、同一周波数且つ同一Ｄｕｔｙで駆動したときの加熱コイルから鍋の加熱に寄与する磁界の発生量を２つの加熱コイルの面積比と略同一にすることにより、インバータを共通化させることができる。
【００９４】
その結果、インバータの数を減らすことによって安価な構成で均一な加熱や、冷却構成を簡素化できる加熱構成を実現することができる。
【００９５】
さらに、薄型の加熱コイルで本特徴が実現できるため、狭い部分に加熱コイルを収容する必要がある場合には極めて有効である。
【００９６】
具体的には、まず、小径の加熱コイルと大径の加熱コイルを比べると、小径の加熱コイルが大径の加熱コイルの巻数と同等、またはそれ以下だと、加熱コイルのインダクタンスおよびそれに起因する加熱コイルからみた鍋込みの抵抗性分は、大径の加熱コイルの方が大きい。
【００９７】
よって、大径の加熱コイルに接続する共振用コンデンサ５１は、小径の加熱コイルに接続する共振用のコンデンサ５６よりも小さい容量とすることにより、２つの加熱コイルでそれぞれに決まる共振周波数を近づけることができる。
【００９８】
しかし、小径の加熱コイルと大径の加熱コイル間で、加熱コイルからみた鍋込みの抵抗成分に大きな差がある場合、仮に共振用のコンデンサの調整により共振周波数を略同一とし、共振周波数の近傍でインバータを動作させると、抵抗成分の小さい、つまり、小径の加熱コイルに多くの電流が流れてしまう。
【００９９】
本実施の形態の誘導加熱装置は、加熱コイルの面積に略比例した電力を出力する、または、加熱コイルに流れる電流を調整して小径の加熱コイルと大径の加熱コイルの温度を略同等にすることが特徴であるため、小径の加熱コイルに大差で電流が流れてしまうことは、小径の加熱コイルの温度が上がりすぎるためよくない。
【０１００】
そこで、共振用のコンデンサの容量は、小径の加熱コイルとからなる共振周波数が大径の加熱コイルが有する共振周波数よりもずらすように設定する。
【０１０１】
図７は本発明の第４の実施の形態における誘導加熱装置の２つの加熱コイルの共振周波数の関係と、インバータの動作周波数との関係を示す図である。
【０１０２】
インバータの動作周波数を大径の加熱コイルが有する共振周波数の近傍で動作させた場合、図７に示すように、小径の加熱コイルの共振周波数からは少し離れているため、小径の加熱コイルには共振電流が流れ難く、その結果、小径の加熱コイルから鍋に出力される電力を下げることができる。
【０１０３】
それにより、小径の加熱コイルの温度を上昇させすぎず、大径の加熱コイルの温度と略同一にすることができる。
【０１０４】
その結果、加熱コイルの温度低減化や、冷却構成の簡素化、加熱コイルを狭い収容部へ導入することなどができる。
【０１０５】
ここで、小径の加熱コイルとそこに電気的に接続される共振用のコンデンサ５６からなる共振周波数は、大径の加熱コイルとそこに電気的に接続される共振用のコンデンサ５１からなる共振周波数よりも低いことが望ましい。
【０１０６】
その理由は、まず、インバータの形態にある。一般的に、誘導加熱装置に用いられているインバータは、電圧源から共振電流を流すことにより加熱するものが多い。そのようなインバータでは、スイッチング素子がオンオフを切り替えるときに発生するスイッチング損失が低減するように、負荷の共振周波数よりもインバータの動作周波数の方を高くして動作させている。
【０１０７】
従って、大径の加熱コイルからなる共振周波数よりも高い周波数で動作させているインバータの状態では、小径の加熱コイルと共振コンデンサから決まる共振周波数は、大径の加熱コイルと共振用のコンデンサから決まる共振周波数よりも低くする。
【０１０８】
逆に、小径の加熱コイルと共振用のコンデンサから決まる共振周波数を動作周波数よりも高い周波数になるように共振用のコンデンサを決めることにより、大径コイルの共振周波数近傍でインバータを動作させつつ、動作周波数から少し遠い周波数に小径の加熱コイルの共振周波数を設定して動作させることも可能である。
【０１０９】
しかし、動作周波数を変えて電力を調節するような場合、インバータの動作周波数を初期の周波数から少し低くした場合を考えると、大径の加熱コイルに流れる電流は増大するのに対して、小径の加熱コイルに流れる電流は減少する。
【０１１０】
つまり、大径の加熱コイルと小径の加熱コイルに流れる電流を調節できることが特徴である本実施の形態においては、出力電力または電流の割合が大きく変化するこのような設定は好ましくない。ただし、動作周波数を変更せず、Ｄｕｔｙの変化や電源電圧の変化による電力調節のみの場合はこのような設定でも構成することは可能となる。
【０１１１】
以上のように、実施の形態４で述べてきた、小径の加熱コイルのインダクタンスや抵抗成分が大径の加熱コイルのインダクタンスや抵抗成分よりも小さいのは、素線数が同等の場合であって、例えば小径の加熱コイルを構成する素線数が大径の加熱コイルよりも少ない場合は、小径の加熱コイルのインダクタンスや抵抗成分の方が大きくなることもある。
【０１１２】
また、小径の加熱コイルのほうが巻数が少ないという従来の加熱構成に捉われず、小径の加熱コイルの巻数を大径の加熱コイルの巻数よりも多くしても同様のことが起こりうる。そういった場合には、小径の加熱コイルに接続される共振コンデンサの容量は、大径の加熱コイルに接続される共振コンデンサの容量よりも小さい場合もある。
【０１１３】
更に、小径の加熱コイルと共振コンデンサからきまる共振周波数を大径の加熱コイルと共振コンデンサからきまる共振周波数よりも低くしたが、必ずしもこの限りではなく、同一の動作周波数において、小径の加熱コイルと大径の加熱コイルの温度が略同一になるように加熱コイルに流す電流を制御することや、それが不可能である状態であれば、例えば加熱コイルの面積の割合に略比例した電力を出力するように調節することや、巻数の割合に略比例した電流や電力を出力するように調節することができればよい。
【０１１４】
なお、上記全ての実施の形態は、加熱コイルが小径の加熱コイルと大径の加熱コイルの２つの加熱コイルのみで説明したが、加熱コイルの数は２つに限定するものではなく、例えば、小径の加熱コイル、中径の加熱コイル、大径の加熱コイルの３つの加熱コイルで同様の構成とし、加熱コイルの面積や巻数に応じてそれぞれの加熱コイルに流れる電流を制御することにより、本発明の効果を得ることができる。
【産業上の利用可能性】
【０１１５】
以上のように、本発明にかかる誘導加熱装置は、分割した加熱コイルに異なる電流を流すことができるようにしたので、加熱コイルの径や巻数に関係なく、加熱コイルの温度を均一化させることができ、加熱コイルの許容温度範囲内で有効的に加熱コイルに電流を流すことができ、例えば定格出力を維持できる時間を長くすることが可能となり、調理作業性を向上させることができるので、誘導加熱による調理器の用途に有効である。
【符号の説明】
【０１１６】
１  プレート
５  インバータ装置
２１  左部加熱コイル
２２  右部加熱コイル
２３  中部加熱コイル
４９  小径の加熱コイル
５０  大径の加熱コイル
５１  第１の共振用コンデンサ
５２  鍋
５３  制御部
５６  第２の共振用コンデンサ
５８  第１のインバータ回路
５９  第２のインバータ回路
【図１】
0005625296.tif 000002
【図４】
0005625296.tif 000003
【図６】
0005625296.tif 000004
【図８】
0005625296.tif 000005
【図９】
0005625296.tif 000006
【図２】
0005625296.tif 000007
【図３】
0005625296.tif 000008
【図５】
0005625296.tif 000009
【図７】
0005625296.tif 000010